(57)【要約】【課題】  シートロールからのシートを簡単な操作で正確に切断することのできるシート切断補助具が望まれている。【解決手段】  シート切断補助具１は、本体基台２に、シートＳを巻いてなるシートロールＲを水平軸心Ｒａ回りに回動自在に支持するロール支持部１４を設け、シートロールＲからのシート繰り出し方向（矢印２４方向）下流側の本体基台２に、シートロールＲから繰り出されたシートＳを載せる載置台９を配備し、載置台９に、シート繰り出し方向を横切る方向に延び且つ下向きに陥入したカッターガイド溝部１８を設けたものである。ロール支持部１４は、側枠３，３に回動自在に軸支されていて、互いに平行な軸心１１ａ，１１ａを有するとともにシートロールＲを載置可能な少なくとも２つの支持ローラ１１，１１から構成されている。【選択図】  図４
2006326798.tif 000002
【特許請求の範囲】
【請求項１】
本体基台に、シートを巻いてなるシートロールを略水平軸心回りに回動自在に支持するロール支持部を設け、シートロールからのシート繰り出し方向下流側の本体基台に、シートロールから繰り出されたシートを載せる載置台を配備し、載置台に、シート繰り出し方向を横切る方向に延び且つ下向きに陥入したカッターガイド溝部を設けてなるシート切断補助具。
【請求項２】
ロール支持部が、本体基台に回動自在に軸支されていて、互いに平行な軸心を有するとともにシートロールを載置可能な少なくとも２つの支持ローラで構成されている請求項１に記載のシート切断補助具。
【請求項３】
載置台の上方位置でカッターガイド溝部の延在方向に沿って配備された支持軸に、該支持軸の軸心方向に移動自在で、且つ、該支持軸の軸心回りに回動自在の移動部材が取り付けられ、該移動部材に、載置台との間で離間自在にシートを挟む櫛歯部が形成されている請求項１または請求項２に記載のシート切断補助具。
【発明の詳細な説明】
【技術分野】
【０００１】
本発明は、シートロールから繰り出されたシートをカッターなどで切断する際に使用されるシート切断補助具に関するものである。
【背景技術】
【０００２】
一般に、シートロールからシートを繰り出して切断する場合、図１４に示すように、作業者Ｍは作業現場の床上にベニヤ板３０などを敷き、ベニヤ板３０上にシートロールＲから繰り出したシートＳの先端Ｓｅ近傍部分を載置する。そして、繰り出したシートＳの側方に、巻尺２７の帯定規２８をシートロールＲに向けて延ばしておき、帯定規２８の目盛を目安にしてシートＳの繰り出し方向と直交する方向の切断目標線を決める。このシートＳの切断目標線に木板３１の一辺３１ａを沿わせたのち、木板３１を手で押えた状態で一辺３１ａに沿ってカッター２６を移動させてシートＳを切断していた。
【０００３】
【特許文献１】特開平７−１０９６５１号公報
【発明の開示】
【発明が解決しようとする課題】
【０００４】
前記した従来のシート切断方法は、シートＳの繰り出し時にシートロールＲをシート繰り出し方向と反対の方向へ転がす必要があり、そのためのスペースが必要で、比較的狭いスペースの現場作業には不向きであった。また、ガラス繊維シートＳがベニヤ板３０上や床上を転がる際にシートロールＲの外周面に汚れが付着するという問題があった。そして、シート切断ごとにシートＳの切断面（先端Ｓｅ）はシートロールＲ側へ後退するので、シートＳの次の切断目標線がベニヤ板３０上の適宜位置にくるようにシートＳの先端Ｓｅを前方へ引っぱって移動させる必要がある。併せて、重量のあるシートロールＲを時折り切断作業位置の近くに運び戻さなければならない。また、シートＳの左右に巻尺２７の帯定規２８を当てて少なくとも２箇所の寸法採りをしなければ、シートＳ上の切断目標線を正確に決めることができなかった。カッターガイドである木板３１は、手で押えて固定されているだけなので、カッター２６でシートＳを切断しているときに木板３１が位置ズレすることがあり、その場合は切断目標線通りにシートＳを切れないという問題もある。
【０００５】
一方で、シートＳがガラス繊維シートのようにほぐせる素材である場合、先端Ｓｅを露出させた状態でシートＳを木板３１で押え、露出した先端Ｓｅをカッター２６の背部分で擦ってほぐすことも行なわれる。しかしながら、木板３１を当てながらカッター２６でシートＳの先端Ｓｅをほぐす作業は木板３１が位置ズレしやすく、解し部分が所望の位置からずれることがある。また、カッター２６の背部分でほぐす作業は想像以上に重労働であり負傷もしやすい。
【０００６】
そこで、互いに逆方向に回転する１対の鎖状体の間にガラス繊維シートの先端部を挿入し、前記の鎖状体によりガラス繊維シートの先端部を叩いてほぐすガラス繊維シート端部処理装置が開発され、上記の特許文献１に記載されている。ところが、上記特許文献１開示のガラス繊維シート端部処理装置は大掛かりで高価であって狭い現場での設置が困難であり、操作が複雑で取り扱いも難しかった。
【０００７】
本発明は、上記した従来の問題点に鑑みてなされたものであって、シートロールからのシートを簡単な操作で正確に切断することのできるシート切断補助具の提供、および、ほぐせる素材からなるシートの先端部を簡素な構成で簡単な操作によりほぐすことのできるシート切断補助具の提供を目的とする。
【課題を解決するための手段】
【０００８】
上記目的を達成するために、本発明に係るシート切断補助具は、本体基台に、シートを巻いてなるシートロールを略水平軸心回りに回動自在に支持するロール支持部を設け、シートロールからのシート繰り出し方向下流側の本体基台に、シートロールから繰り出されたシートを載せる載置台を配備し、載置台に、シート繰り出し方向を横切る方向に延び且つ下向きに陥入したカッターガイド溝部を設けてなるものである。
【０００９】
また、前記構成におけるロール支持部が、本体基台に回動自在に軸支されていて、互いに平行な軸心を有するとともにシートロールを載置可能な少なくとも２つの支持ローラで構成されているものである。
【００１０】
そして、前記した各構成において、載置台の上方位置でカッターガイド溝部の延在方向に沿って配備された支持軸に、該支持軸の軸心方向に移動自在で、且つ、該支持軸の軸心回りに回動自在の移動部材が取り付けられ、該移動部材に、載置台との間で離間自在にシートを挟む櫛歯部が形成されているものである。
【発明の効果】
【００１１】
本発明に係るシート切断補助具において、シートロールはロール支持部により略水平軸心回りに回動自在に支持されるので、シートの先端を軽く引くだけで、シートロールが一定の位置で自由に回転してシートが繰り出される。従って、従来のようにシート繰り出し時に転がって離れたシートロールを切断作業位置の近くまで運び戻すという重労働を必要とせず、ベニヤ板上や地面上を転がってガラス繊維シートが汚れるといったこともない。そして、シートロールから繰り出されて本体基台の載置台上に載置されたシートの上面で、カッターなどの切断具をカッターガイド溝部に沿って移動させるといった簡単な操作により、シート繰り出し方向を横切る方向に正確にシートを切断することができる。
【００１２】
また、ロール支持部が、本体基台に回動自在に軸支されていて、互いに平行な軸心を有するとともにシートロールを載置可能な少なくとも２つの支持ローラで構成されている場合は、構成が簡素で安価に提供することができる。また、少なくとも２つの支持ローラ上にシートロールを載置するだけで、シートロールの設置や交換を行なえるので、かかる作業が極めて楽になり、現場作業向けの器具として好適である。
【００１３】
そして、載置台上方の支持軸に取り付けられた移動部材の櫛歯部が載置台との間でシートを挟んだ状態で、移動部材をカッターガイド溝部の延在方向に沿って移動させるといった単純な操作だけで、櫛歯部が摺接した部分のシートをほぐすことができる。すなわち、この発明に係るシート切断補助具は、簡素な構成でありながら、面倒なガラス繊維シートなどのほぐし作業を迅速に行なうことができる。また、シートの繰り出し方向の位置決めは載置台と櫛歯部との挟み込みにより確実であるから、目標ほぐし部分のシートを正確にほぐすことが可能である。
【発明を実施するための最良の形態】
【００１４】
本発明の最良の実施形態を図面に基づいて説明する。尚、以下に述べる実施形態は本発明を具体化した一例に過ぎず、本発明の技術的範囲を限定するものでない。ここに、図１は本発明の一実施形態に係るシート切断補助具を斜め後方から見た概観図、図２は前記シート切断補助具の平面図、図３は前記シート切断補助具の正面図、図４は前記シート切断補助具の右側面図、図５は前記シート切断補助具における巻尺収容部を示す拡大斜視図である。
各図において、この実施形態に係るシート切断補助具１は、平面に見て矩形枠状の本体基台２を有している。本体基台２は、左右に離間配置された１対の側枠３，３と、側枠３，３の後端に架け渡されてボルト５，５で固定された背枠４と、側枠３，３前端で左右外向きに折り曲げられた前板部６，６にボルト７，７で固定された前板８とから構成されている。側枠３，３には、紙管Ｒｂの外周面にガラス繊維シートＳが巻かれたシートロールＲを水平の軸心Ｒａ回りに回動自在に支持するロール支持部１４が設けられている。
【００１５】
ロール支持部１４は、側枠３，３に形成された左右２対の軸穴１２，１２，１２，１２と、軸穴１２，１２，１２，１２に前後１対で軸支された支持軸１１，１１と、支持軸１１，１１にそれぞれ回動自在に枢支された支持ローラ１０，１０とから構成されている。これら２つの支持ローラ１０，１０は互いに平行な軸心１１ａ，１１ａを有し、シートロールＲを載置可能な前後間隔で配置されている。尚、軸穴１２，１２間における側枠３，３の上面に円弧状の切り欠き部１３，１３を形成したことにより、側枠３，３間よりも左右に長い寸法のシートロールＲを側枠３，３の上面と干渉することなく支持ローラ１０，１０上に載置できるようになっている。
【００１６】
前板８はシートロールＲからのシート繰り出し方向（矢印２４方向）下流側に位置している。そして、前板８の上端は、後方に折り曲げられることにより、シートロールＲから繰り出されたガラス繊維シートＳを載せる載置台９となっている。前板８の前面８ｆ上部に、前板８の左右全体にわたる当て板１５がボルト１６で取り付けられている。前板８と当て板１５はスペーサ１７を挟んで取り付けられることにより、前板８と当て板１５との間に、隙間寸法ｄのカッターガイド溝部１８が形成される。すなわち、カッターガイド溝部１８は載置台９の前方位置でガラス繊維シートＳの繰り出し方向を直角に横切る方向に延び、且つ、下向きに陥入して形成されている。載置台９の左端には受け金具１９がビス２２で取り付けられている。受け金具１９は巻尺２７を収容する収容部２１と、巻尺２７の挟み金具２７ａで挟持される側板２０とからなっている。前板８の左端には、巻尺２７が受け金具１９の収容部２１に設置された状態で、巻尺２７から引き出される帯定規２８を通すスリット部２３が形成されている。
【００１７】
引続き、シート切断補助具１を用いてガラス繊維シートＳを切断する態様を、図６および図１〜図５を参照して説明する。
まず、作業者Ｍは、シートロールＲを支持ローラ１０，１０上に載置し、ガラス繊維シートＳの先端Ｓｅを前方（矢印２４方向）に引くと、シートロールＲが支持ローラ１０，１０上で矢印２５方向に転動して、ガラス繊維シートＳの先端Ｓｅが載置台９および当て板１５を超えて繰り出される。次に、巻尺２７の帯定規２８を引き出して所定の切断寸法を決めておく。更にガラス繊維シートＳを繰り出して、ガラス繊維シートＳの先端Ｓｅを帯定規２８の先端位置に合わせる。この状態でカッターガイド溝部１８上方位置のガラス繊維シートＳの上面にカッター２６を押しつけながらカッターガイド溝部１８の延在方向に沿って走らせると、カッターガイド溝部１８に沿ってガラス繊維シートＳが直線状に切断される。このとき、カッター２６を持った手でガラス繊維シートＳを載置台９上に押し付けながら移動させると、ガラス繊維シートＳが前後に位置ズレすることなく切断目標線の位置で正確に切断される。以下、前記と同様にして、シートロールＲからガラス繊維シートＳが順に繰り出されて所望寸法で切断される。
尚、ガラス繊維シートＳの先端部をほぐす場合は、ガラス繊維シートＳの先端部をカッターガイド溝部１８の上に置き、カッター２６の背部分をガラス繊維シートＳの上面に押し付けながらカッターガイド溝部１８に沿って動かすことによりほぐすことができる。
【００１８】
前記したように、このシート切断補助具１では、シートロールＲは支持ローラ１０，１０上で自由に回転できるので、軽力でガラス繊維シートＳを繰り出すことができる。また、シートロールＲは一定位置の軸心Ｒａ回りに回転するので、従来のようにシート繰り出し時に転がって離れたシートロールＲを切断作業位置の近くまで運び戻すという重労働を必要とせず、ベニヤ板上や地面上を転がってガラス繊維シートＳが汚れるといったこともない。また、受け金具１９に装着した巻尺２７から帯定規２８を目標寸法だけ前方に引き出して停止させておき、繰り出したガラス繊維シートＳの先端Ｓｅを、停止した帯定規２８の先端に合わせるだけで、従来のように複数箇所の計測を行なうことなく、ガラス繊維シートＳの切断寸法を簡単且つ正確に決めることができる。そして、前記のように位置決めしたガラス繊維シートＳの上面からカッターガイド溝部１８内へカッター２６を押し入れながらカッターガイド溝部１８の溝長手方向に沿って移動させるといった簡単な操作により、迅速に且つ正確な切断目標位置でガラス繊維シートＳを切断することができる。加えて、シート切断補助具１は小型、軽量の構成であるから、現場工事用として運搬可能で手軽に使用することができる。
【００１９】
尚、図７に示したシート切断補助具１のように、前記した１対の支持ローラ１０，１０と載置台９との間で、前記支持ローラ１０，１０より高い位置に、もう１つの支持ローラ１０を設けてよい。この支持ローラ１０は、左右の側枠３，３の上面にそれぞれ立設された脚板部３４，３４の軸穴３５，３５に軸支された支持軸１１に回動自在に枢支されている。この支持ローラ１０は前記した１対の支持ローラ１０，１０と平行の軸心１１ａを有している。一般に、径方向に大きく膨出した膨出部Ｒｄを有するシートロールＲ１を１対の支持ローラ１０，１０上に載置した場合、ガラス繊維シートＳが繰り出されてシートロールＲ１が転動したとき、膨出部Ｒｄが支持ローラ１０に当たって反発し、シートロールＲ１が１対の支持ローラ１０，１０から１点鎖線で示す位置に飛び出すことがある。
しかしながら、図７のシート切断補助具１では、前記１点鎖線で示す位置にある新たな支持ローラ１０が、飛び出したシートロールＲ１を回動可能に受け止めるので、ガラス繊維シートＳの繰り出しに何ら支障を生じない。新たな支持ローラ１０で受け止められたシートロールＲ１は、その後作業が一段落したときに１対の支持ローラ１０，１０上に戻せばよい。
【００２０】
更に、図８〜図１０に示したシート切断補助具１では、載置台９の左右両端部に支持板３６，３６がそれぞれビスなどで立設され、支持板３６，３６の軸穴３７，３７に支持軸３８が架け渡されている。支持軸３８の両端はそれぞれボルト３９，３９で固定されている。すなわち、支持軸３８は載置台９の上方位置でカッターガイド溝部１８の延在方向（矢印４３方向）に沿って配備されている。かかる支持軸３８には移動部材４０が取り付けられている。移動部材４０は側面から見て逆Ｌ字状に形成されており、その前面下端部には多数の逆Ｕ字溝４５，４５，４５，・・・が左右方向適宜ピッチで形成されている。これら隣合った逆Ｕ字溝４５，４５間はそれぞれ櫛歯部４２，４２，４２，・・・となっている。移動部材４０の左右側板部（符号付け省略）に形成された軸穴４１，４１に、前記の支持軸３８が挿通されている。これにより、移動部材４０は支持軸３８の軸心３８ａ方向（矢印４３方向）に移動自在で、支持軸３８の軸心３８ａ回り（矢印４４方向）に回動自在となっている。櫛歯部４２，４２，４２，・・・は最も下がったときに載置台９上に載置されるように配置されている。
【００２１】
この実施形態のシート切断補助具１では、図１０の２点鎖線で示すように、移動部材４０を手で持ち上げ支持軸３８の軸心３８ａ回りに後方回転させて櫛歯部４２を載置台９から浮かせておく。そこで、シートロールＲからガラス繊維シートＳを繰り出して移動部材４０と載置台９との間を通し、ガラス繊維シートＳの先端Ｓｅを前板８の前方へ所望寸法だけ引き出しておく。次に、移動部材４０の櫛歯部４２，４２，４２，・・・を載置台９上のガラス繊維シートＳに載せる。その状態で、移動部材４０を手で押しつけてガラス繊維シートＳを載置台９との間で挟みながら移動部材４０を左右に摺動させる。これにより、櫛歯部４２，４２，４２，・・・を摺動させた部分のガラス繊維シートＳがほぐれる。その後、櫛歯部４２，４２，４２，・・・でガラス繊維シートＳを押え、他方の手で先端Ｓｅ近傍を持ち上げると、櫛歯部４２，４２，４２，・・・の並びに沿ってガラス繊維シートＳが引きちぎられる。このように引きちぎられたガラス繊維シートＳ，Ｓの両側端部は、図１１に示すように、それぞれ解し部分Ｈ，Ｈとなる。これらの解し部分Ｈ，Ｈ同士は重ね合わせられて接着剤で接合されるようになっている。
前記した移動部材４０付きのシート切断補助具１は、簡素な構成でありながら、面倒なガラス繊維シートＳの解し作業を必要以上の注意を払うことなく安全に、且つ迅速に行なうことができる。また、解し部分Ｈの長さ調整も容易で正確に行なえる。
【００２２】
他方で、ガラス繊維シートＳの切断寸法を測る際に、図１２に示すように、巻尺２７の挟み金具２７ａで挟持される側板４６を有する可搬式の巻尺設置具４７を用いることも可能である。この巻尺設置具４７における帯定規２８の引き出し高さは、シート切断補助具１の前板８に設けたスリット部２３とほぼ同じ高さにしてある。この巻尺設置具４７では、巻尺２７の挟み金具２７ａを側板４６に挟み付けて固定し、帯定規２８先端のフック部をシート切断補助具１のスリット部２３の縁に係止させたのち、巻尺設置具４７と巻尺２７を一体で前方に移動させることにより、帯定規２８が引き出されてガラス繊維シートＳの切断寸法を測れるようになっている。
【００２３】
尚、上記ではシートロールＲを載置する１対の支持ローラ１０，１０からなるロール支持部１４を例示したが、本発明のシート切断補助具はそれに限定されるものでなく、例えば図１３に示すようなロール支持部１４ａも含んでいる。ロール支持部１４ａは、本体基台２の左右の側枠３ａ，３ａの上面にボルトなどで固定して立てられた１対の支持板３２，３２と、支持板３２，３２の上面に形成された受け溝部３２ａ，３２ａに着脱自在に設置される支持軸３３とから構成されている。このロール支持部１４ａでは、支持軸３３がシートロールＲの紙管Ｒｂの筒内Ｒｃに挿通されたのち、支持軸３３の両端が支持板３２，３２の受け溝部３２ａ，３２ａに設置される。これにより、シートロールＲが本体基台２に対し回動自在に支持される。かかるロール支持部１４ａであっても、先述したロール支持部１４を用いた場合と同様の作用、効果を奏する。
【００２４】
そして、本発明のシート切断補助具により切断されるシートとしては特に限定されず、ロールに巻かれたシートであればいかなるものでも構わない。また、本発明のシート切断補助具を用いてほぐされるシートとしては、上記したガラス繊維シート以外に、例えばフェルトシート、合成繊維不織シートなどが挙げられる。
【図面の簡単な説明】
【００２５】
【図１】本発明の一実施形態に係るシート切断補助具を斜め後方から見た概観図である。
【図２】前記シート切断補助具の平面図である。
【図３】前記シート切断補助具の正面図である。
【図４】前記シート切断補助具の右側面図である。
【図５】前記シート切断補助具における巻尺収容部を示す拡大斜視図である。
【図６】前記シート切断補助具を用いてガラス繊維シートを切断する態様を示す使用態様図である。
【図７】本発明の別の実施形態に係るシート切断補助具を示す右側面図である。
【図８】本発明の更に別の実施形態に係るシート切断補助具の平面図である。
【図９】前記更に別のシート切断補助具の正面図である。
【図１０】前記更に別のシート切断補助具の右側面図である。
【図１１】前記更に別のシート切断補助具で切断されたガラス繊維シートの外観図である。
【図１２】巻尺の別の使用態様を示す外観図である。
【図１３】本発明の他の実施形態に係るシート切断補助具を示す右側面図である。
【図１４】ガラス繊維シートを切断する従来の態様を示す使用態様図である。
【符号の説明】
【００２６】
１    シート切断補助具
２    本体基台
３，３ａ  側枠
９    載置台
１０  支持ローラ
１１  支持軸
１１ａ  軸心
１４，１４ａ  ロール支持部
１７  スペーサ
１８  カッターガイド溝部
２４  矢印
３６  支持板
３８  支持軸
３８ａ  軸心
４０  移動部材
４２  櫛歯部
４３  矢印
４４  矢印
Ｈ  解し部分
Ｒ，Ｒ１  シートロール
Ｒａ  筒心（軸心）
Ｓ  ガラス繊維シート（シート）
【図１】
2006326798.tif 000003
【図２】
2006326798.tif 000004
【図３】
2006326798.tif 000005
【図４】
2006326798.tif 000006
【図５】
2006326798.tif 000007
【図６】
2006326798.tif 000008
【図７】
2006326798.tif 000009
【図８】
2006326798.tif 000010
【図９】
2006326798.tif 000011
【図１０】
2006326798.tif 000012
【図１１】
2006326798.tif 000013
【図１２】
2006326798.tif 000014
【図１３】
2006326798.tif 000015
【図１４】
2006326798.tif 000016